(57)【要約】      （修正有）【課題】使用者が使用しやすいようにその重量を軽減できるだけでなく、さらにそのモジュールを取り外し可能な状態にして占有スペースを減らし、収納しやすくしたチャック取付用ノブを提供する。【解決手段】チャック内部に伸ばし入れて同チャックの接続ナットを回すために用いられ、接続ナットには複数の嵌溝があり、チャック取付用ノブ１００は一つの結合具２０と一つの手持具１０を有する。結合具２０には複数の凸キー２２があり、これらの凸キー２２は接続ナットの嵌溝と対応するように設けられている。手持具１０の片端は分離可能な状態で結合具２０と固接し、もう片側は使用者に握らせるための一つの受力部を有する。このようなチャック取付用ノブ１００を使用することで、使用後に手持具１０と結合具２０をすばやく切り離して占有スペースを減らし、収納しやすくする。【選択図】図２
0003199045.tif 000002
【実用新案登録請求の範囲】
【請求項１】
以下の部品から構成されるチャック取付用ノブであって、チャック内部に伸ばし入れて前記チャックの接続ナットを回すのに用いられ、前記接続ナットは複数の嵌溝を有し；
前記接続ナットの嵌溝に対応して設置される複数の凸キーを有し；
片側は分離可能な状態で前記結合具と固接し、もう片側は使用者に握らせるための受力部となっている一つの手持具を有する、チャック取付用ノブ。
【請求項２】
前記結合具は一つの円形盤体を含み、前記二つの凸キーは前記盤体と接続されており；前記盤体に一つの二段穴を有し；前記手持具の片側は前記二段穴の中を挿し込まれ、しかも軸方向に沿って設置された一つのねじ穴を有し；ボルトを前記二段穴を通って前記ねじ穴の中にねじり込むことで、前記盤体と前記手持具を安定的に連結させることができることを特徴とする請求項１に記載のチャック取付用ノブ。
【請求項３】
前記手持具は一本の直棒と一本の横棒を含み、前記直棒の片側に前記ねじ穴が、もう片端には径方向に沿って設置される穿孔を有し；前記横棒は分離可能な状態で前記穿孔を貫設し、前記横棒の前記直棒両側に位置する部分は前記受力部となることを特徴とする請求項２に記載のチャック取付用ノブ。
【請求項４】
前記手持具は一本の直棒と一本の横棒を含み、前記直棒と前記横棒は一体的に接続されてＴ型を呈し、前記直棒の片側に前記ねじ穴があることを特徴とする請求項２に記載のチャック取付用ノブ。
【請求項５】
前記盤体の二段穴は順番に形成された一つの第１ざぐり穴、一つの第２ざぐり穴と一つの第３ざぐり穴を含み、このうち前記第３ざぐり穴の孔径は前記第２ざぐり穴の孔径よりも小さく、前記第３ざぐり穴と前記第２ざぐり穴の接続部に一つのブロック面を形成し、前記第１ざぐり穴は二つのまっすぐな孔壁を有し、前記手持具の直棒は二つのまっすぐな側面と外径がやや小さめの一つの収束区間を有し、前記収束区間は前記第２ざぐり穴を通って前記ブロック面と当接し、前記二つのまっすぐな側面は前記第１ざぐり穴のまっすぐな孔壁とともに配置される。前記ボルトは前記第３ざぐり穴を通って前記ねじ穴の中にねじり込まれることを特徴とする請求項３又は請求項４に記載のチャック取付用ノブ。
【請求項６】
前記盤体は一つの凹穴を有し、前記凹穴は前記盤体の下端面で凹設して形成されることを特徴とする請求項２に記載のチャック取付用ノブ。
【請求項７】
前記結合具は筒状を呈し、その片側は径方向に沿って設置される一つの通孔を有する。前記手持具は一本の棒体があり、前記棒体は分離可能な状態で前記通孔を貫設し、前記棒体の前記結合具両側に位置する部分が前記受力部となることを特徴とする請求項１に記載のチャック取付用ノブ。
【考案の詳細な説明】
【技術分野】
【０００１】
本考案は、旋盤のチャック組立工具、特に旋盤チャックを組み立てるための一種のノブに関わる。
【背景技術】
【０００２】
１に示すように、従来の旋盤チャックは一つのチャック１と一つの主軸２を含み、組立ての際に、一般的なノブ３を利用してチャック１と主軸２を互いに結合させる。ノブ３は一つの盤体３ａとこの盤体３ａ上に固結される一つの手持具３ｂを備え、盤体３ａも複数の凸キー３ｃを有する。チャック１内部には一つの接続ナット１ａがあり、接続ナット１ａの片側にはノブ３の凸キー３ｃと対応する複数の嵌溝１ｂが設けられている。主軸２は一つの接続引抜管２ａを含み、接続引抜管２ａの片側には接続ナット１ａと結合するためのねじ山区間２ｂがある。
【０００３】
このノブ３の盤体３ａをチャック１内部に伸ばし入れることにより、盤体３ａの凸キー３ｃが接続ナット１ａの嵌槽１ｂと嵌め込み合い、使用者は手持具３ｂを回して盤体３ａで接続ナット１ａを回し、接続ナット１ａを通じて接続引抜管２ａに捻りこむことで、チャック１と主軸２との間の組立て作業を行うことができる。
【０００４】
しかし、一般的なノブ３の場合、盤体３ａを手持具３ｂに固接する形で一体化しているため、使用しない時は、体積があまりにも大きくてスペースを取られて保管しにくく、作業の動きの邪魔となる場合もあるほか、包装材が大きすぎて運送コストが増えてしまうなどの欠点がある。また、大型部品の固定に使われる旋盤チャックの場合、その接続ナットと接続引抜管のサイズも大きくなるため、接続ナットをスムーズに回すには、より大きなノブを使用する必要があり、ノブが重すぎると使用者の利便性が低下するため、従来の一体型ノブの構造では、まだまだ改善の余地があるといえる。
【先行技術文献】
【特許文献】
【０００５】
【特許文献１】特表平０９-５０３４４８号公報
【考案の概要】
【０００６】
上記のような従来例の問題点に鑑み、本考案では、一種のチャック取付用ノブを提供することで、使用者が使用しやすいようにその重量を軽減できるだけでなく、さらにそのモジュールを取り外し可能な状態にして占有スペースを減らし、収納しやすくした。
【課題を解決するための手段】
【０００７】
上記目的を達成するため、本考案の提供するチャック取付用ノブは、チャック内部に伸ばし入れて同チャックの接続ナットを回すためのもので、接続ナットには複数の嵌溝があり、チャック取付用ノブは一つの結合具と一つの手持具を有する。結合具には複数の凸キーがあり、これらの凸キーは接続ナットの嵌溝と対応するように設けられている。手持具の片端は分離可能な状態で結合具と固接し、もう片側は使用者に握らせるための一つの受力部を有する。
【０００８】
本考案の効果は、このようなチャック取付用ノブを使用することで、使用後に手持具と結合具をすばやく切り離して占有スペースを減らし、収納しやすくしたことである。
【図面の簡単な説明】
【０００９】
【図１】一般的なチャック取付用ノブと接続ナットを結合したときを示す説明図である。
【図２】本考案の第１実施例のチャック取付用ノブの分解図である。
【図３】本考案の第１実施例のチャック取付用ノブの立体図である。
【図４】図３の４-４方向の断面図である。
【図５】本考案の第２実施例のチャック取付用ノブの分解図である。
【図６】本考案の第３実施例のチャック取付用ノブの分解図である。
【考案を実施するための形態】
【００１０】
本考案をよりはっきりと理解できるよう、いくつかの実施例と図面を併用して詳しく説明する。図２から図４までは本考案の一実施例のチャック取付用ノブ１００を示すもので、手持具１０およびこの手持具１０と分離可能な状態で固接された結合具２０を含む。チャック取付用ノブ１００の結合具２０は、チャック内部に伸ばし入れてチャックの接続ナットを回転させて接続引抜管と結合するのに用いられ、接続ナットと接続引抜管は旋盤チャックの一般的な構成であるため、ここでは説明を省略する。
【００１１】
手持具１０は一本の直棒１２と一本の横棒１４を備え、直棒１２は六角形を呈する棒状のもので、その外側に６つのまっすぐな側面１２ａがあり、直棒１２の頂点付近には径方向に沿って設置された一つの穿孔１２１があり、直棒１２の底部付近に外径のやや小さい一つの収束区間１２２と軸方向に沿って設置された一つのねじ穴１２３がある。横棒１４は分離可能な状態で穿孔１２１に貫設され、これにより横棒１４の直棒１２の両側に位置する部分は使用者に握らせるための受力部１４１となる。
【００１２】
本考案の実施例では、結合具２０は一つの円形盤体２１と二つの凸キー２２を含み、盤体２１は互いに後向きに設置された一つの上端面２１ａと一つの下端面２１ｂを持つのに対して、二つの凸キー２２は盤体２１の下端面２１ｂから突起しており、しかも二つの凸キー２２は接続ナット上の二つの嵌溝（図未表示）に対応するように設置されている。結合具２０はさらに盤体２１の中心部にある一つの二段穴２３を備え、図４に示すように、二段穴２３は上端面２１ａから下端面２１ｂへと凹んで形成される一つの第１ざぐり穴２３ａと一つの第２ざぐり穴２３ｂ、一つの第３ざぐり穴２３ｃを含む。このうち第１ざぐり穴２３ａは長円形で二つのまっすぐな孔壁２３ｄを有する。第３ざぐり穴２３ｃの孔径は第２ざぐり穴２３ｂの孔径よりも小さく、第３ざぐり穴２３ｃにて第２ざぐり穴２３ｂの接続部とともに一つのブロック面２３ｅを形成する。
【００１３】
手持具１０は、その直棒１２の収束区間１２２を持つ片端を二段穴２３の第２ざぐり穴２３ｂに挿し込み、しかも直棒１２の片端はブロック面２３ｅに当接する。次に一ボルト３０を第３ざぐり穴２３ｃを通した後に直棒１２のねじ穴１２３にねじり込むことで、盤体２１が手持具１０と安定的に連結することができる。さらに第１ざぐり穴２３ａの二つの孔壁２３ｄを利用して直棒１２の二つの側面１２ａと当接することで、使用者が手持具１０を回せば盤体２１の回転を確実に動かし、手持具１０が二段穴２３の中で空回りするのを防ぐことができる。
【００１４】
本実施例のチャック取付用ノブ１００は、使用しない時はボルト３０を緩めて直棒１２のねじ穴１２３および二段穴２３から外して盤体２１の外に取り出すことで、手持具１０を盤体２１から引き離すことができるほか、同時に手持具１０の横棒１４を直棒１２から引き離してチャック取付用ノブ１００を手持具１０、直棒１２、横棒１４およびボルト３０の四つのモジュールに分解してチャック取付用ノブ１００の占有スペースと収納空間を減らし、場所の取り過ぎによる作業の妨げとなることを防ぐとともに、包装材を削減して輸送コストを下げることもできる。
【００１５】
ここで特筆すべきことは、チャック取付用ノブ１００の総重量を減らすために、本実施例では、盤体２１の構造的強度を損なうことなく、下端面２１ｂに一つの凹穴２４を凹設することで、チャック取付用ノブ１００全体の総重量を減らし、これを持ち上げる負担を軽減することができた。
【００１６】
本考案のチャック取付用ノブ１００は、図２〜図４に示す実施形態に限らず、同じ効果を持つその他の実施形態でも構わない。図５は本考案の第２実施例のチャック取付用ノブ２００を示すもので、上記第１実施例と同じ結合具２０を有するが、唯一異なる点は、本実施例のチャック取付用ノブ２００の手持具４０は一本の直棒４２と一本の横棒４４があるものの、直棒４２と横棒４４は一体的に接続されＴ型を呈している。同じように、チャック取付用ノブ２００を使用しない時は、この結合具２０と手持具４０を上記と同じ要領で取り外せば、チャック取付用ノブ２００の占有スペースを変えて収納しやすく、包装材や輸送コストの削減を実現することができる。 
【００１７】
上記第１および第２実施例のほか、図６は本考案の第３実施例のチャック取付用ノブ３００を示すもので、同じように一つの結合具５０と一つの手持具６０から構成されている。唯一異なる点は、手持具６０は一本の横棒しかなく、結合具５０は筒状を呈し、片端に設置された径方向に沿った通孔５２ともう片端に設置された二つの凸キー５４を有する。横棒は分離可能な状態で通孔５２を貫通する。本実施例のチャック取付用ノブ３００は小型部品を挟むための旋盤チャックに適し、しかも第１と第２実施例と同じ効果を実現することができる。
【００１８】
上記実施例はあくまでも推奨する実施態様にすぎず、特許考案の技術的範囲を画するものではない。上記実施形態に種々の変更または改良を加えたものも、本考案の技術的範囲に含まれる。
【符号の説明】
【００１９】
１００、２００、３００  …  チャック取付用ノブ
１０、４０、６０  …  手持具
１２、４２  …  直棒 １２ａ  …  側面     １２１  …  穿孔
１２２  …  収束区間 １２３  …  ねじ穴
１４、４４  …  横棒 １４１  …  受力部
２０、５０  …  結合具
２１  …  盤体       ２１ａ  …  上端面   ２１ｂ  …  下端面
２２、５４  …  凸キー
２３  …  二段穴     ２３ａ  …  第１ざぐり穴    ２３ｂ  …  第２ざぐり穴
２３ｃ  …  第３ざぐり穴    ２３ｄ  …  孔壁     ２３ｅ  …  ブロック面
２４  …  凹穴       
５２  …  通孔
３０  …  ボルト
【図１】
0003199045.tif 000003
【図２】
0003199045.tif 000004
【図３】
0003199045.tif 000005
【図４】
0003199045.tif 000006
【図５】
0003199045.tif 000007
【図６】
0003199045.tif 000008
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
以下の部品から構成されるチャック取付用ノブであって、チャック内部に伸ばし入れて前記チャックの接続ナットを回すために用いられ、前記接続ナットは複数の嵌溝を有し；
前記接続ナットの嵌溝に対応して設置される複数の凸キーを有し；
片側は分離可能な状態で結合具と固接し、もう片側は使用者に握らせるための受力部となっている一つの手持具を有する、チャック取付用ノブ。
【請求項２】
前記結合具は一つの円形盤体を含み、前記複数の凸キーは前記盤体と接続されており；前記盤体に一つの二段穴を有し；前記手持具の片側は前記二段穴の中を挿し込まれ、しかも軸方向に沿って設置された一つのねじ穴を有し；ボルトを前記二段穴を通って前記ねじ穴の中にねじり込むことで、前記盤体と前記手持具を安定的に連結させることができることを特徴とする請求項１に記載のチャック取付用ノブ。
【請求項３】
前記手持具は一本の直棒と一本の横棒を含み、前記直棒の片側に前記ねじ穴が、もう片端には径方向に沿って設置される穿孔が配置され；前記横棒は分離可能な状態で前記穿孔を貫設し、前記横棒の前記直棒両側に位置する部分は前記受力部となることを特徴とする請求項２に記載のチャック取付用ノブ。
【請求項４】
前記手持具は一本の直棒と一本の横棒を含み、前記直棒と前記横棒は一体的に接続されてＴ型を呈し、前記直棒の片側に前記ねじ穴があることを特徴とする請求項２に記載のチャック取付用ノブ。
【請求項５】
前記盤体の二段穴は順番に形成された一つの第１ざぐり穴、一つの第２ざぐり穴と一つの第３ざぐり穴を含み、このうち前記第３ざぐり穴の孔径は前記第２ざぐり穴の孔径よりも小さく、前記第３ざぐり穴と前記第２ざぐり穴の接続部に一つのブロック面を形成し、前記第１ざぐり穴は二つのまっすぐな孔壁を有し、前記手持具の直棒は二つのまっすぐな側面と外径がやや小さめの一つの収束区間を有し、前記収束区間は前記第２ざぐり穴を通って前記ブロック面と当接し、前記二つのまっすぐな側面は前記第１ざぐり穴のまっすぐな孔壁とともに配置され；前記ボルトは前記第３ざぐり穴を通って前記ねじ穴の中にねじり込まれることを特徴とする請求項３又は請求項４に記載のチャック取付用ノブ。
【請求項６】
前記盤体は一つの凹穴を有し、前記凹穴は前記盤体の下端面で凹設して形成されることを特徴とする請求項２に記載のチャック取付用ノブ。
【請求項７】
前記結合具は筒状を呈し、その片側は径方向に沿って設置される一つの通孔を有し；前記手持具は一本の棒体があり、前記棒体は分離可能な状態で前記通孔を貫設し、前記棒体の前記結合具両側に位置する部分が前記受力部となることを特徴とする請求項１に記載のチャック取付用ノブ。